(57)【要約】  タッチスクリーン（１４）用のスタイラス（１０）は、長手方向に延在するバレル（１６）を含み、バレル（１６）は、開口部（２４）を含む第１の端部（２２）および第２の端部（２８）であって、第１の端部（２２）および第２の端部（２８）は、長手方向において、互いに反対側にある、第１の端部（２２）および第２の端部（２８）と、第１の部分（１８）および第２の部分（２０）であって、第１の部分（１８）が第１の端部（２２）を含み、第２の部分（２０）が第２の端部（２８）を含む、第１の部分（１８）および第２の部分（２０）と、を含む。スタイラス（１０）は、少なくとも部分的にバレル（１６）内に受容された電子式先端（２６）であって、電子式先端（２６）が開口部（２４）を通ってバレル（１６）の第１の部分（１８）から突出する少なくとも使用時の構成を有するように構成された電子式先端（２６）と、バレル（１６）の第２の部分（２０）上で周方向に位置付けされた少なくとも２つのアクチュエータ（３０）であって、各アクチュエータ（３０）は他のアクチュエータ（３０）から独立して作動するように構成されており、少なくとも２つの構成を有する、アクチュエータと、アクチュエータ（３０）の構成を検出するための少なくともある検出器（４４）と、アクチュエータ（３０）の構成に関する情報を送信するように構成された通信部品（４６）と、を含む。【選択図】図１
2021507357.tif 000002
【特許請求の範囲】
【請求項１】
タッチスクリーン（１４）用のスタイラス（１０）であって、
−長手方向（Ｘ）に延在するバレル（１６）であって、前記バレル（１６）が、
開口部（２４）を備える第１の端部（２２）および第２の端部（２８）であって、前記第１の端部（２２）および前記第２の端部（２８）が、長手方向（Ｌ）において、互いに反対側にある、第１の端部（２２）および第２の端部（２８）と、
第１の部分（１８）および第２の部分（２０）であって、前記第１の部分（１８）が前記第１の端部（２２）を含み、前記第２の部分（２０）が前記第２の端部（２８）を含む、第１の部分（１８）および第２の部分（２０）と、を備える、バレル（１６）と、
−少なくとも部分的に前記バレル（１６）内に受容された電子式先端（２６）であって、前記電子式先端（２６）が前記開口部（２４）を通って前記バレル（１６）の前記第１の部分（１８）から突出する少なくとも使用時の構成を有するように構成された、電子式先端（２６）と、
−前記バレル（１６）の前記第２の部分（２０）上に互いに対して周方向（Ｃ）に位置付けされた少なくとも２つのアクチュエータ（３０、５６、６６、７２、７８）であって、各アクチュエータ（３０、５６、６６、７２、７８）が、前記長手方向（Ｘ）に延在し、前記他のアクチュエータとは独立して作動するように構成されており、少なくとも２つの構成を有する、少なくとも２つのアクチュエータ（３０、５６、６６、７２、７８）と、
−前記アクチュエータ（３０、５６、６６、７２、７８）の前記構成を検出するための少なくともある検出器（４４）と、
−前記アクチュエータ（３０）の前記構成に関する情報を送信するように構成された通信部品（４６）と、を備える、スタイラス（１０）。
【請求項２】
前記第２の端部（２８）が、少なくともアクチュエータ（８４）を備える、請求項１に記載のスタイラス（１０）。
【請求項３】
前記第２の端部（２８）が、導電性パッド（８６）または端部電子式先端を備える、請求項１または２に記載のスタイラス（１０）。
【請求項４】
前記バレル（１６）の前記第１の部分（１８）が、アクチュエータ（１０２、１０４、１０６、１０８、１１０）を備える、請求項１〜３のいずれかに記載のスタイラス（１０）。
【請求項５】
前記第２の部分（１８）がクリップ（３２）を備え、前記クリップ（３２）がアクチュエータ（３２、９６）であり、および／または前記クリップがディスプレイ（９８、１００）を備える、請求項１〜４のいずれかに記載のスタイラス（１０）。
【請求項６】
少なくとも１つのアクチュエータ（３０、３２、５６、６６、７２、７８、９６、１０２、１０４、１０６、１０８、１１０）が、前記長手方向（Ｌ）において作動されるように構成されている、請求項１〜５のいずれかに記載のスタイラス（１０）。
【請求項７】
少なくとも１つのアクチュエータ（３０、３２、５６、６６、７２、７８、９６、１０２、１０４、１０６、１０８、１１０）が、並進で、または回転で作動されるように構成されている、請求項１〜６のいずれかに記載のスタイラス（１０）。
【請求項８】
少なくとも１つのアクチュエータ（３０、３２、５６、６６、７２、７８、９６、１０２、１０４、１０６、１０８、１１０）が、前記周方向（Ｃ）において作動されるように構成されている、請求項１〜７のいずれかに記載のスタイラス（１０）。
【請求項９】
少なくとも１つのアクチュエータ（３０、３２、５６、６６、７２、７８、９６、１０２、１０４、１０６、１０８、１１０）が、半径方向（Ｒ）において作動されるように構成されている、請求項１〜８のいずれかに記載のスタイラス（１０）。
【請求項１０】
前記バレル（１６）の前記第１の部分（１８）および前記第２の部分（２０）が、互いに対して少なくとも２つの構成を有する、請求項１〜９のいずれかに記載のスタイラス（１０）。
【請求項１１】
前記バレル（１６）および／または少なくとも１つのアクチュエータ（３０、５６、６６、７２、７８、１０２、１０４、１０６、１０８、１１０）が、ディスプレイ（８０、８２、１１２）を備える、請求項１〜１０のいずれかに記載のスタイラス（１０）。
【請求項１２】
前記スタイラス（１０）が、動き検出器（５０）および／または傾斜検出器（４８）を備える、請求項１〜１１のいずれかに記載のスタイラス（１０）。
【請求項１３】
メモリユニット（１３２）を備える、請求項１〜１２のいずれかに記載のスタイラス（１０）。
【請求項１４】
前記メモリユニット（１３２）が、１つのアクチュエータ（３０、３２、５６、６６、７２、７８、９６、１０２、１０４、１０６、１０８、１１０）の少なくとも個別化に関する情報を記憶するように構成されている、請求項１３に記載のスタイラス（１０）。
【請求項１５】
前記電子式先端（２６）は、前記電子式先端（２６）が前記バレル（１６）内に完全に受容される格納された構成を有する、請求項１〜１４のいずれかに記載のスタイラス（１０）。
【請求項１６】
前記バレル（１６）が、少なくとも部分的に前記バレル（１６）内に受容された筆記先端（Ｗ）を備え、前記筆記先端（Ｗ）は、前記筆記先端（Ｗ）が部分的に前記バレル（１６）内に受容され、かつ前記開口部（２４）を通して前記バレル（１６）の前記第１の部分（１８）から突出する使用時の構成と、前記筆記先端（Ｗ）が前記バレル（１６）内に完全に受容される格納された構成とを有する、請求項１５に記載のスタイラス（１０）。
【発明の詳細な説明】
【技術分野】
【０００１】
本開示は、タッチスクリーン用のスタイラスに関し、より具体的には、タッチスクリーンと協働するように構成された先端を備えるスタイラスに関する。
【背景技術】
【０００２】
タッチスクリーンと相互作用するスタイラスは知られている。そのようなスタイラスは、概して、ユーザがタッチスクリーンおよび／またはタッチスクリーンを含む電子デバイス内のソフトウェアと対話することを可能にする１つのボタンを備える。
【０００３】
しかしながら、そのような相互作用は比較的制限されており、ボタンの人間工学は十分に調整されておらず、および／またはスタイラスの位置決めの精度は正確さに欠けている。
【発明の概要】
【０００４】
そのため、本開示の実施形態により、タッチスクリーン用のスタイラスが提供される。スタイラスは、長手方向に延在するバレルを含み、バレルは、開口部を含む第１の端部と第２の端部であって、第１の端部および第２の端部は、長手方向において、互いに反対側にある、第１の端部および第２の端部と、第１の部分および第２の部分であって、第１の部分は第１の端部を含み、第２の部分は第２の端部を含む、第１の部分および第２の端部と、を含む。スタイラスは、少なくとも部分的にバレル内に受容され、電子式先端が開口部を通ってバレルの第１の部分から突出する少なくとも使用時の構成を有するように構成された電子式先端と、バレルの第２の部分で互いに対して周方向に位置付けされた少なくとも２つのアクチュエータであって、各アクチュエータは長手方向に延在し、他のアクチュエータから独立して作動するように構成され、少なくとも２つの構成を有する、アクチュエータと、アクチュエータの構成を検出するための少なくともある検出器と、アクチュエータの構成に関する情報を送信するように構成された通信部品と、を含む。
【０００５】
そのようなスタイラスを提供することによって、マルチアクチュエータスタイラスを有することが可能であり、アクチュエータは、バレルの第２の部分、すなわち、タッチスクリーンでスタイラスを使用するときにユーザによって一般的に保持される部分ではない上に配設される。
【０００６】
電子式先端は、少なくとも部分的にバレル内に受容され、電子式先端がバレルの第１の部分から開口部を通って突出する少なくとも使用時の構成を有するように構成されており、スタイラスは固定先端スタイラスまたは格納式先端スタイラスであり得る。
【０００７】
アクチュエータは、バレルの第２の部分上に配設されており、回避されないとしても、アクチュエータの意図しない作動が低減される。さらに、ユーザがまだスタイラスを手に保持しながら、アクチュエータを親指で作動させることができる。
【０００８】
さらに、アクチュエータは互いに対して周方向に位置付けされており、特に１つのアクチュエータを作動させるために、ユーザはスタイラスを手の中で周方向に回転させてもよく、それによりアクチュエータは他のアクチュエータと干渉することなく親指で作動され得る。
【０００９】
これらの作動動作は比較的自然であり、そのような作動動作の人間工学は非常に改善されている。
【００１０】
検出器は、すべてのアクチュエータの構成を検出してもよく、または各アクチュエータが、１つの検出器に直接的または間接的に接続されてもよい。代わりに、すべてのアクチュエータではなく２つ以上のアクチュエータが、直接的または間接的に１つの検出器に接続されてもよく、すなわち、１つの検出器が、１つのアクチュエータの構成、またはいくつかのアクチュエータの構成、もしくはすべてのアクチュエータの構成を検出してもよい。検出器は、アクチュエータの構成を検出し、端部先端ではないことを理解されたい。
【００１１】
少なくとも２つのアクチュエータのおかげで、スタイラスとタッチスクリーンと間の相互作用を増加させることが可能である。
【００１２】
アクチュエータは、一時的なアクチュエータおよび／または常設のアクチュエータであり得る。一時的なアクチュエータは、作動するとパルスをトリガするアクチュエータであり、常設のアクチュエータは、作動すると１つの状態から別の状態に、例えば「オン」状態から「オフ」状態に変化するアクチュエータである。
【００１３】
いくつかの実施形態では、アクチュエータはオン／オフアクチュエータである
【００１４】
いくつかの実施形態では、電子式先端は端部先端を備える。
【００１５】
電子式先端は、電子部品に接続された端部先端のアセンブリである。電子部品は、検出器に接続されている。電子部品は、タッチスクリーンに対する端部先端の位置の検出を改善し得る。
【００１６】
電子部品はまた、タッチスクリーンを備えるデバイスと通信するように構成された通信部品を含んでもよい。
【００１７】
デバイスとスタイラスとの間の通信は、電磁波、例えば、ＷｉＦｉ、Ｂｌｕｅｔｏｏｔｈ（登録商標）、近距離無線通信（ＮＦＣ）など、または光波、例えば、ＬｉＦｉ、赤外線など、あるいは機械波、例えば、超音波や可聴音など、の無線通信であってもよい。デバイスとスタイラスの間の通信は、タッチスクリーンが容量性タッチスクリーンの場合、スタイラスの先端からタッチスクリーンへ直接なされ得る。デバイスとスタイラスの間の通信は、タッチスクリーンが誘導型タッチスクリーンの場合、スタイラスコイルとタッチスクリーンコイルのと間で直接なされ得る。これらの通信手段は、非限定的な例として与えられている。
【００１８】
いくつかの実施形態では、端部先端は取り外し可能である。
【００１９】
端部先端は、スタイラスから取り外されてもよく、別の端部先端と交換されてもよい。他の端部先端は、異なる端部先端形状および／またはサイズを有し得る。他の端部先端は、異なる材料で作られてもよく、および／または異なる密度を有してもよく、それによりユーザの感覚は、前の端部先端との感覚とは異なる。
【００２０】
いくつかの実施形態では、端部先端は導電性材料である。
【００２１】
スタイラスは、容量性タッチスクリーンまたは導電性端部先端と協働する任意のタイプのタッチスクリーンと協働し得る。電子部品は、導電性材料での端部先端の電力供給を可能にする。端部先端の電力供給のおかげで、電力が供給されていない導電性パッドと比較して、端部先端はより小さくなり、よりよい位置決め精度を有し得る。
【００２２】
いくつかの実施形態では、スタイラスは、圧力センサ先端ユニットを備える。
【００２３】
圧力センサ先端ユニットは、ユーザによってスタイラスの端部先端に加えられた圧力を記録することを可能にする。この情報は、タッチスクリーンを備えるユニットに送信され得、それにより、タッチスクリーンに描かれる線の太さは、端部先端にかかる圧力に比例する、すなわち、圧力が大きいほど、描かれる線の太さが大きくなる。
【００２４】
いくつかの実施形態では、第２の端部は、アクチュエータを備える。
【００２５】
いくつかの実施形態では、第２の端部は、導電性パッドまたは端部電子式先端を備える。
【００２６】
いくつかの実施形態では、第２の部分はクリップを備え、クリップはアクチュエータであり、および／またはクリップはディスプレイを備える。
【００２７】
ディスプレイは、ＬＥＤ、ＬＣＤスクリーンディスプレイなどのスクリーンディスプレイ、またはＥ−Ｉｎｋディスプレイとすることができる。
【００２８】
いくつかの実施形態では、バレルの第１の部分が、アクチュエータを備えてもよい。
【００２９】
アクチュエータは、バレルの第１の部分上に配設されてもよい。バレルの第１の部分は、２つ以上のアクチュエータを備えてもよい。
【００３０】
いくつかの実施形態では、少なくとも１つのアクチュエータが、長手方向において作動されるように構成されている。
【００３１】
いくつかの実施形態では、少なくとも１つのアクチュエータが、並進で、または回転で作動されるように構成されている。
【００３２】
いくつかの実施形態では、少なくとも１つのアクチュエータが、周方向において作動されるように構成されている。
【００３３】
いくつかの実施形態では、少なくとも１つのアクチュエータが、半径方向において作動されるように構成されている。
【００３４】
いくつかの実施形態では、アクチュエータの作動は、アクチュエータの変位である。
【００３５】
いくつかの実施形態では、バレルおよび／または少なくとも１つのアクチュエータは、タッチ感応面を有する。
【００３６】
例えば、アクチュエータまたはバレルの表面は、容量性表面または抵抗性表面であってもよい。これらの実施形態では、作動は、アクチュエータに対する外部物体の変位である。
【００３７】
いくつかの実施形態では、アクチュエータまたはバレルの表面は、二次元アクチュエータである。
【００３８】
例えば、アクチュエータまたはバレルの表面は、容量性マトリクスまたは抵抗性マトリクスを有し得る。
【００３９】
いくつかの実施形態では、バレルおよび／または少なくとも１つのアクチュエータは、ディスプレイを備える。
【００４０】
ディスプレイは、ＬＥＤ、ＬＣＤスクリーンディスプレイなどのスクリーンディスプレイ、またはＥ−Ｉｎｋディスプレイとすることができる。
【００４１】
いくつかの実施形態では、少なくとも１つのアクチュエータは、押しボタンである。
【００４２】
いくつかの実施形態では、少なくとも１つのアクチュエータは、スライドボタンである。
【００４３】
いくつかの実施形態では、少なくとも１つのアクチュエータは、回転アクチュエータである。
【００４４】
いくつかの実施形態では、回転アクチュエータは、リングである。
【００４５】
いくつかの実施形態では、回転アクチュエータは、ホイールである。
【００４６】
いくつかの実施形態では、少なくとも１つのアクチュエータは、ロッカスイッチである。
【００４７】
いくつかの実施形態では、少なくとも１つのアクチュエータは、時間比例セレクタである。
【００４８】
時間比例セレクタは、任意のタイプのアクチュエータで実装することができる。
【００４９】
いくつかの実施形態では、少なくとも１つのアクチュエータは、各構成で安定している。
【００５０】
アクチュエータは、取り得る各構成で安定している。
【００５１】
いくつかの実施形態では、少なくとも１つのアクチュエータは、各構成で安定していない。
【００５２】
アクチュエータは、アクチュエータが作動後にユーザとの相互作用なしに元に戻すデフォルト構成を有する。スタイラスは、アクチュエータを安定した構成に戻すための付勢要素を備えてもよい。
【００５３】
いくつかの実施形態では、アクチュエータは、比例アクチュエータである。
【００５４】
アクチュエータは、それが取る各構成で安定している。例えば、アクチュエータは、電気抵抗、電気容量、または誘導の変化に基づいてもよい。
【００５５】
いくつかの実施形態では、スタイラスは動き検出器を備える。
【００５６】
動き検出器は、慣性測定ユニット（「ＩＭＵ」）であり得、９自由度で向きおよび動きを測定することを可能にする。このような慣性測定ユニットは、３自由度の加速度計、３自由度のジャイロスコープ、および３自由度の磁力計を備える。ＩＭＵは、改良された傾斜検出器として使用され得る。
【００５７】
いくつかの実施形態では、スタイラスは、傾斜検出器を備える。
【００５８】
いくつかの実施形態では、傾斜検出器は傾きスイッチである。
【００５９】
いくつかの実施形態では、傾斜検出器は可動部分を備える。
【００６０】
いくつかの実施形態では、傾斜検出器はジャイロスコープである。
【００６１】
いくつかの実施形態では、スタイラスは電池を備える。
【００６２】
電池は、電子部品の電源である。それはまた、検出器に電力を供給し得る。電池は、一度使用したら交換する必要があるものであってもよい。
【００６３】
いくつかの実施形態では、電池は充電式電池である。
【００６４】
いくつかの実施形態では、スタイラスは、電池を充電するための接続部を備える。
【００６５】
いくつかの実施形態では、電池は誘導充電式電池である。
【００６６】
いくつかの実施形態では、電池は、近距離無線通信充電式電池である。
【００６７】
したがって、スタイラスがＮＦＣを介して通信するデバイスの近くに配設されると、スタイラスの電池を充電することができる。
【００６８】
いくつかの実施形態では、電池は、Ｑｉ充電式電池である。
【００６９】
いくつかの実施形態では、スタイラスは、電池を充電するためのエネルギーハーベスティングデバイスを備える。
【００７０】
エネルギーハーベスティングデバイスの例としては、太陽エネルギーハーベスティングデバイス、機械的エネルギーハーベスティングデバイス、電磁エネルギーハーベスティングデバイス、熱エネルギーハーベスティングデバイスが挙げられる。機械的エネルギーハーベスティングデバイスは、圧電効果に基づいている場合がある。熱エネルギーハーベスティングデバイスは、ゼーベック効果に基づいている場合がある。
【００７１】
いくつかの実施形態では、スタイラスは誘導コイルを備える。
【００７２】
スタイラスは、誘導タッチスクリーンと連携し得る。誘導コイルは、タッチスクリーンを備える電子デバイスに含まれるコイルから電力供給を受けてもよい。電池を使用するときのように、誘導コイルは、タッチスクリーンによって電力が供給されているとき、電子部品および／または検出器の電力供給源となり得る。
【００７３】
いくつかの実施形態では、バレルの第１の部分および第２の部分は、互いに対して少なくとも２つの構成を有する。
【００７４】
いくつかの実施形態では、第１の部分および第２の部分は、第１の構成から第２の構成へ、および第２の構成から第１の構成へ、互いに対して並進および／または回転移動するように構成されている。
【００７５】
いくつかの実施形態では、スタイラスはメモリユニットを備える。
【００７６】
メモリユニットは、情報を記憶するために使用される。
【００７７】
いくつかの実施形態では、メモリユニットは、１つのアクチュエータの少なくとも個別化に関する情報を記憶するように構成される。
【００７８】
いくつかの実施形態では、電子式先端は、電子式先端がバレル内に完全に受容される格納された構成を有する。
【００７９】
電子式先端は、格納式先端である。電子式先端を格納された構成から使用時の構成に移動するためのボタンは、ボタンの構成を検出する検出器に直接的または間接的にリンクされていない場合があることに留意されたい。
【００８０】
いくつかの実施形態では、バレルは、少なくとも部分的にバレル内に受容された筆記先端を備え、筆記先端は、筆記先端が部分的にバレル内に受容され、かつ開口部を通してバレルの第１の部分から突出する使用時の構成と、筆記先端がバレル内に完全に受容される格納された構成とを有する。
【００８１】
いくつかの実施形態では、スタイラスは触覚フィードバックデバイスを備える。
【００８２】
触覚フィードバックデバイスは、電力供給を受けると振動を生成する圧電デバイスであってもよい。
【００８３】
例えば、触覚フィードバックデバイスは、アクチュエータで実現された選択またはアクションが検出されたことの確認をユーザに与え得る。触覚フィードバックデバイスはまた、鉛筆で紙に書く感覚など、ユーザとの特定の感覚を作成または再現するために使用され得る。
【００８４】
いくつかの実施形態では、スタイラスはカラースキャナを備える。
【００８５】
いくつかの実施形態では、バレルの第１の部分の長手方向の長さは、２５ｍｍ（ミリメートル）以上、好ましくは７０ｍｍ以上かつ１１０ｍｍ以下、好ましくは９０ｍｍ以下である。
【００８６】
いくつかの実施形態では、バレルの第２の部分の長手方向の長さは、３０ｍｍ以上、好ましくは４０ｍｍ以上かつ１１０ｍｍ以下、好ましくは８０ｍｍ以下である。
【００８７】
いくつかの実施形態では、第１の部分は、ノーズコーンを備える。
【００８８】
いくつかの実施形態では、ノーズコーンの長手方向の長さは、１ｍｍ以上、好ましくは５ｍｍ以上かつ１１０ｍｍ以下、好ましくは８０ｍｍ以下である。
【００８９】
いくつかの実施形態では、バレルは平坦部分を備える。
【００９０】
平坦部分は、ディスプレイ、光起電力素子を支持するため、および／または電子部品を固定するために使用され得る。
【００９１】
上記の要素と本明細書内の要素との組み合わせは、他に矛盾しない限り行うことができることが意図されている。
【００９２】
前述の概説および以下の詳細な説明の両方は、例示および説明のみであり、特許請求されるように、本開示を限定するものではないことを理解されたい。
【図面の簡単な説明】
【００９３】
本明細書に組み込まれ、その一部を構成する添付の図面は、本開示の実施形態を示し、説明とともに、その原理を説明するのに役立つ。
【図１】本開示の実施形態による、スタイラスおよびタッチスクリーンを備えるデバイスの概略斜視図を示す。
【図２】図１のスタイラスのユーザの手における概略斜視図を示す。
【図３】本開示の実施形態による、スタイラスの概略斜視図を示す。
【図４】図１のスタイラスの断面図である。
【図５】筆記先端を備えるスタイラスの図４と同様の断面図である。
【図６】スタイラスの第２部分の部分斜視図である。
【図７Ａ】様々なタイプのアクチュエータを示す。
【図７Ｂ】同上。
【図７Ｃ】同上。
【図７Ｄ】同上。
【図８】同上。
【図９】同上。
【図１０】同上。
【図１１】同上。
【図１２Ａ】様々なタイプのディスプレイを示す。
【図１２Ｂ】同上。
【図１３】同上。
【図１４】スタイラスの第２の端部に位置するアクチュエータを示す。
【図１５】スタイラスの第２の端部に位置する導電性パッドを示す。
【図１６】バレルの第１の部分および第２の部分が、周方向に互いに対して少なくとも２つの構成を有するスタイラスを示す。
【図１７】バレルの第１の部分および第２の部分が、長手方向に互いに対して少なくとも２つの構成を有するスタイラスを示す。
【図１８Ａ】クリップの様々なタイプのアクチュエータを示す。
【図１８Ｂ】同上。
【図１９Ａ】同上。
【図１９Ｂ】同上。
【図１９Ｃ】同上。
【図２０Ａ】クリップの様々なタイプのディスプレイを示す。
【図２０Ｂ】同上。
【図２１Ａ】バレルの第１の部分の様々なタイプのアクチュエータを示す。
【図２１Ｂ】同上。
【図２１Ｃ】同上。
【図２１Ｄ】同上。
【図２１Ｅ】同上。
【図２１Ｆ】同上。
【図２２】バレルの第１の部分上のディスプレイを示す。
【図２３Ａ】様々なタイプの端部先端を示す。
【図２３Ｂ】同上。
【図２３Ｃ】同上。
【図２３Ｄ】同上。
【図２４】スタイラスとタッチスクリーンを備えるデバイスとの間の様々なタイプの相互作用を示す。
【図２５Ａ】同上。
【図２５Ｂ】同上。
【図２５Ｃ】同上。
【図２６】同上。
【図２７】本開示の実施形態による、電子プリント基板を示す。
【発明を実施するための形態】
【００９４】
ここで、本開示の例示的な実施形態を詳細に参照し、その例が添付の図面に示されている。可能な限り、同じまたは同様の部品を参照するために、図面全体を通して同じ参照番号が使用される。
【００９５】
図１は、本開示の実施形態による、例示的なスタイラス１０の表現を示す。スタイラス１０は、タブレットコンピュータ１２のタッチスクリーン１４などのタッチスクリーン１４と協働するように構成されている。
【００９６】
スタイラス１０は、長手方向Ｘに延在するバレル１６を備える。
【００９７】
一般に、長手方向Ｘはバレル１６の軸Ｘに対応し、半径方向Ｒは長手方向Ｘに垂直な方向であり、周方向Ｃは長手方向Ｘの周りを回る方向である。
【００９８】
バレル１６は、第１の部分１８および第２の部分２０を備える。第１の部分１８および第２の部分２０は、長手方向Ｘに互いに組み立てられた２つの異なる要素であり得、第１の部分１８および第２の部分２０は、半径方向Ｒに互いに組み立てられた２つの異なる要素、またはそれらの組み合わせであり得る。第１の部分１８および第２の部分２０はまた、一体であってもよい。
【００９９】
第１の部分１８は、ユーザの手で保持されることになる。第１の部分１８は、電子式先端２６が突出する孔２４を有するバレル１６の第１の端部２２を備える。
【０１００】
図１では、電子式先端２６は使用時の構成にある。電子式先端２６は固定されてもよく、または電子式先端２６は格納式であってもよい。電子式先端２６が格納式である場合、使用時の構成では、電子式先端２６は少なくとも部分的にバレル１６内に受容され、かつ電子式先端２６はバレル１６の第１の部分１８から開口部２４を通って突出するが、一方、格納された構成では、電子式先端２６はバレル１６内に完全に受容される（図５を参照）。
【０１０１】
第２の部分２０は、第２の端部２８を備え、第２の端部２８は、長手方向Ｘにおいて、第１の端部２２の反対側である。図１の実施形態では、第２の部分２０は、互いに対して周方向Ｃに位置付けられた４つのアクチュエータを備え、３つだけが見えている。アクチュエータは、長手方向Ｘに延在するスライドボタン３０である。第２の部分２０はまた、クリップ３２を備える。
【０１０２】
バレル１６の第１の部分１８の長手方向Ｘにおける長さＬ１８は８０ｍｍに等しく、バレル１６の第２の部分２０の長手方向Ｘにおける長さＬ２０は７０ｍｍに等しい。
【０１０３】
図３は、第１の部分１８がノーズコーン３４および中間バレル３６を備えるスタイラス１０を示す。長手方向Ｘにおけるバレル１６の第１の部分１８のノーズコーン３４の長さＬ３４は、１０ｍｍに等しく、長手方向Ｘにおけるバレル１６の第１の部分１８の中間バレル３６の長さＬ３６は、７０ｍｍに等しい。
【０１０４】
図４の断面図から分かるように、電子式先端２６は、複数の電子部品４２を備える電子プリント基板４０に接続された端部先端３８のアセンブリである。電子プリント基板４０は、可撓性であってもよい。
【０１０５】
電子部品４２は、タッチスクリーン１４に対する端部先端３８の位置の検出を改善し得る。
【０１０６】
スタイラス１０は、４つの検出器４４を備え、各検出器４４は、１つのスライドボタン３０の構成を検出する。例えば、検出器４４は、アクチュエータの状態を検出するようにプログラムされたマイクロコントローラであり得る。検出器４４は、直接的または間接的にアクチュエータに接続されている。直接接続の非限定的な例は、ピン、リボンケーブル、ケーブル、金属製の導電性ストリップ、または成形回路部品（ＭＩＤ）である。通信プロトコルを介した間接接続の非限定的な例は、マルチプレクサ／デマルチプレクサを使用する。マルチプレクサ／デマルチプレクサは、接点の必要性を減らし、スペースの節約を可能にする。
【０１０７】
検出器４４は、端部先端３８に接続された電子プリント基板４０上にあってもよい。図２７では、検出器４４は電子プリント基板４０上にある。しかしながら、検出器４４は、別個の電子プリント基板上にあってもよい。
【０１０８】
電子部品４２は、検出器４４に接続されている。電子構成要素４２は、タッチスクリーン１４を備えるデバイス１２と通信するための通信部品４６を含む。デバイス１２とスタイラス１０との間の通信は、電磁波、例えば、ＷｉＦｉ、Ｂｌｕｅｔｏｏｔｈ（登録商標）、ＮＦＣなど、または光波、例えば、ＬｉＦｉ、赤外線など、あるいは機械波、例えば、超音波や可聴音など、の無線通信であってもよい。通信部品４６は、アクチュエータの構成に対して検出器４４によって検出された情報を送信するように構成されている。
【０１０９】
いくつかの実施形態では、スタイラス１０は、傾斜検出器４８を備えてもよい。傾斜検出器４８は、傾きスイッチまたはジャイロスコープ、あるいは可動部を備える傾斜検出器であってもよい。
【０１１０】
いくつかの実施形態では、スタイラス１０はまた、動き検出器５０、例えば、９自由度で向きおよび動きを測定することを可能にする慣性測定ユニット（「ＩＭＵ」）を備えてもよい。このような慣性測定ユニットは、３自由度の加速度計、３自由度のジャイロスコープ、および３自由度の磁力計を備える。動き検出器５０は、電子プリント基板４０上に配設されてもよい。
【０１１１】
図５に示すように、電子式先端６は、電子式先端６がバレル１６内に完全に受容される格納された構成を有し得る。このため、電子式先端２６は格納式先端であり、すなわち、電子式先端２６は、図４に示すように、電子式先端２６がバレル１６の第１の部分１８から開口部２４を通って突出する使用時の構成、および図５に示すように、電子式先端６がバレル１６内に完全に受容される格納された構成を有する。
【０１１２】
図５にまた示されるように、バレル１６は、少なくとも部分的にバレル１６内に受容される筆記先端Ｗを備える。筆記先端Ｗは、筆記先端Ｗがバレル１６内に部分的に受容され、開口部２４を通ってバレル１６の第１の部分１８から突出する使用時の構成、および図５に示すように、筆記先端Ｗがバレル１６内に完全に受容される格納された構成を取り得る。
【０１１３】
図６は、スタイラス１０の第２の部分２０を示す。特に、スライドボタン３０は、長手方向Ｘにおいて作動され得、より具体的には、図６の実施形態において、スライドボタン３０は、長手方向Ｘに沿って並進するスライドボタン３０の変位によって、長手方向Ｘに沿って並進して作動される。
【０１１４】
各スライドボタン３０は、他のスライドボタン３０から独立して作動され得る。
【０１１５】
各スライドボタン３０は、取り得る各構成で安定であってもよく、または各スライドボタン３０は、取り得る各構成で安定でなくてもよい。安定したスライドボタン（複数可）３０と非安定なスライドボタン（複数可）３０の混合もあり得る。
【０１１６】
各スライドボタン３０は、少なくとも２つの構成を取り得る。各スライドボタン３０は、３つ以上の構成を取ってもよい。各スライドボタン３０は、他のスライドボタン３０とは異なる数の構成を取ってもよい。１つ以上のスライドボタン３０は、同じ数の構成を有してもよい。
【０１１７】
例えば、１つのスライドボタン３０は安定であり、２つの構成を有する、すなわち、スライドボタン３０は、図７Ａに示される第１の構成および図７Ｂに示される第２の構成を有する。スライドボタン３０が第１の構成または第２の構成のいずれかであるとき、スライドボタン３０は安定している、すなわち、スライドボタン３０は、ユーザによって作動されない限り動かない。第１の構成から第２の構成に移動するために、ユーザは、スライドボタン３０を図５２の矢印５２の方向に作動させ、逆に、第２の構成を第１の構成に移動するために、ユーザは、スライドボタン３０を図７Ｂの矢印５４の方向に作動させる。
【０１１８】
例えば、１つのスライドボタン３０は安定ではなく、２つの構成を有する、すなわち、スライドボタン３０は、図７Ａに示される第１の構成および図７Ｂに示される第２の構成を有する。スライドボタン３０が第１の構成で安定で、第２の構成で安定でない、すなわち、スライドボタン３０がデフォルトの構成、この場合第１の構成、を有するとき、ユーザの相互作用なしで、スライドボタン３０は、第２の構成で作動された後に元に戻る。第１の構成から第２の構成に移動するために、ユーザは、図５２の矢印５２の方向にスライドボタン３０を作動させ、スライドボタン３０は、第２の構成を取り、ユーザから解放されると、ユーザの相互作用なしで、スライドボタン３０は、第１の構成に戻る。スタイラス１０は、スライドボタン３０を安定した構成、この場合、第１の構成に戻すための付勢要素を備え得る。
【０１１９】
第２の構成がデフォルト構成であって、第１の構成が非安定構成であり、かつ第２の構成が安定構成であってもよいことが理解される。
【０１２０】
ユーザによってアクティブ化されていない場合、スライドボタン３０はデフォルト構成にあるが、スライドボタン３０はデフォルト構成において異なるステータスを有してもよい、例えば、スライドボタン３０は、第１の作動時に「オン」ステータスから「オフ」ステータスに移行し、第２の作動時に「オフ」ステータスから「オン」ステータスに移行してもよい。３つ以上のステータスを有する可能性もある。
【０１２１】
スライドボタン３０はまた、図７Ｃに示されるように、軸Ｘに向かって半径方向Ｒに作動されるように構成されてもよい。このため、スライドボタン３０は、押しボタン５６であってもよい。典型的には、そのような作動の場合、押しボタン５６は、押しボタン５６が安定しているデフォルト構成である第１構成と、押しボタン５６が半径方向Ｒの軸Ｘに向かって押され、押しボタン５６は安定していない、第２構成とを有する。ユーザが押しボタン５６を離すと、押しボタン５６は第１の構成に戻る。
【０１２２】
スライドボタン３０はまた、図７Ｄに示されるように、周方向Ｃにおいて作動されてもよい。例えば、スライドボタン３０は、矢印５８の方向または矢印６０の方向のいずれかに周方向に移動または押されてもよい。概して、スライドボタン３０は、スライドボタン３０が安定しているデフォルト構成である第１の構成、およびスライドボタン３０が、矢印５８の方向または矢印６０の方向のいずれかに周方向Ｃに向かって押され、押しボタンが安定でない２つの構成を有する。ユーザがスライドボタン３０を離すと、スライドボタン３０は第１の構成に戻る。
【０１２３】
各スライドボタン３０は、図７Ａ〜図７Ｄに従って作動されるように構成され得ることが理解される。しかしながら、すべての作動が、各スライドボタン３０で可能ではない場合がある。一部のスライドボタン３０は、長手方向Ｘに沿って並進のみで変位し得る。一部のスライドボタン３０は、長手方向Ｘに沿って並進で作動され得、かつ周方向Ｃにおいて作動され得る。一部のスライドボタン３０は、長手方向Ｘに沿って並進で、および半径方向Ｒに作動され得る。すべての組み合わせが含められる。さらに、１つのスライドボタン３０が、他のスライドボタン３０とは異なる構成を有してもよい。
【０１２４】
スライドボタン３０はまた、長手方向Ｘに３つ以上の構成を有し得る。図８に示されるように、スライドボタン３０は、３つの構成を有する。スライドボタン３０が安定しているデフォルト構成である第１の構成、およびスライドボタン３０が、矢印６２の方向または矢印６４の方向のいずれかに長手方向Ｘに沿って押され、押しボタンが安定でない２つの構成である。ユーザがスライドボタン３０を離すと、スライドボタン３０は、図８に示す第１の構成に戻る。スライドボタン３０はまた、３つの構成において安定であってもよい。
【０１２５】
図７Ｃ〜図７Ｄのスライドボタン３０について説明した構成はまた、図８のスライドボタン３０の可能なオプションでもあることを理解されたい。
【０１２６】
スライドボタン３０が、それが取るすべての構成で安定している場合、スライドボタン３０に対して４つ以上の構成を有することが可能である。スライドボタン３０はまた、連続的に異なる構成を取り得、すなわち、スライドボタン３０は、図７Ａの構成から図７Ｂの構成に連続的に移動され得、スライドボタン３０の各位置は、安定した構成であり得る。後者のスライドボタン３０は、比例アクチュエータである。
【０１２７】
アクチュエータは、ロックボタン６６であってもよい。ロックボタン６６は、図９に示されるように、軸Ｘに向かって半径方向Ｒに作動されるように構成される。
【０１２８】
ロックボタン６６は、ロックボタン６６が安定しているデフォルト構成である第１の構成、ロックボタン６６が矢印６８の方向で半径方向Ｒに軸Ｘに向かって押され、ロックボタン６６が安定ではない第２の構成、およびロックボタン６６が矢印７０の方向で半径方向Ｒに軸Ｘに向かって押され、ロックボタン６６が安定ではない第３の構成を有する。第２の構成または第３の構成のいずれかにおいて、ユーザがロックボタン６６離すと、ロックボタン６６は第１の構成に戻る。
【０１２９】
３つの構成は、安定した構成であってもよい。ロックボタン６６はまた、ロックボタン６６が矢印６８の方向で半径方向Ｒに軸Ｘに向かって押される第１の構成、およびロックボタン６６が矢印７０の方向で半径方向Ｒに軸Ｘに向かって押される第２の構成の２つの安定した構成を有してもよい。
【０１３０】
図７Ｃ〜図７Ｄのスライドボタン３０について説明した構成はまた、図９のロックボタン６６の可能なオプションでもあることを理解されたい。
【０１３１】
アクチュエータは、図１０に示すホイール７２であってもよい。ホイール７２は、矢印７４の方向および／または矢印７６の方向のいずれかに回転して長手方向Ｘにおいて作動されるように構成されている。
【０１３２】
ホイール７２は、複数の別個のまたは連続的な構成を取るように構成されてもよい。
【０１３３】
図７Ｃ〜図７Ｄのスライドボタン３０について説明された構成はまた、図１０のホイール７２の可能なオプションでもあることを理解されたい。
【０１３４】
アクチュエータは、タッチ感応面７８を備えてもよい。タッチ感応面７８は、例えば、容量性表面または抵抗性表面であってもよい。タッチ感応面７８は、例えば、タッチ感応面７８に沿ったユーザの指の変位によって、長手方向Ｘに沿って、周方向Ｃに沿って、および／または半径方向Ｒに沿って作動され得る。タッチ感応面７８は、比例アクチュエータであってもよい。
【０１３５】
アクチュエータは、上記の非限定的リストのアクチュエータの組み合わせであってもよい。説明したように、スライドボタンは押しボタンであってもよい。感応面は、押しボタン、等であってもよい。
【０１３６】
アクチュエータは、図１２Ａおよび図１２Ｂに示されるように、ＬＣＤスクリーンディスプレイ８０などのディスプレイを備えてもよい。ＬＣＤスクリーンは、アクチュエータが存在する構成に関連する情報、例えば、色（図１２Ａ）または所与のアクチュエータに関連する他の情報（図１２Ｂ）を表示し得る。代わりに、ディスプレイは、Ｅ−Ｉｎｋディスプレイであってもよい。
【０１３７】
バレル１６は、図１３に示されるように、ＬＥＤ８２などのディスプレイを備えてもよい。ＬＥＤ８２は、アクチュエータの近くに配設され得、アクチュエータが存在する構成を示す。
【０１３８】
図１２に示すように、第２の部分２０の第２の端部２８は、押しボタン８４を含む。押しボタン８４は、長手方向Ｘにおいて作動されるように構成されている。典型的には、そのような作動の場合、押しボタン８４は、押しボタン８４が安定であるデフォルト構成の第１の構成、および押しボタン８４が長手方向Ｘで第１の端部２２に向かって押され、押しボタン８４が安定でない第２の構成を有する。ユーザが押しボタン８４を離すと、押しボタン８４は第１の構成に戻る。
【０１３９】
押しボタン８４は、ＬＣＤスクリーンディスプレイ、Ｅ−Ｉｎｋディスプレイ、またはＬＥＤなどのディスプレイを備えてもよい。
【０１４０】
図１５に示すように、第２の部分２０の第２の端部２８は、導電性パッド８６を含む。導電性パッド８６は、端部電子式先端であってもよい。
【０１４１】
図１６に示されるように、いくつかの実施形態では、第１の部分１８および第２の部分２０は、第２の部分２０上に配設され、かつ図１６の第１の部分１８上に配設された第１のマーカ９０と整列するインジケータ８８によって示される第１の構成から第１の部分１８上に配設された第２のマーカ９２によって示される第２の構成に、互いに対して周方向Ｃに回転して移動するように構成され得る。第１の部分１８および第２の部分２０はまた、第２の構成から第１の構成に移動することもができる。実施形態は、２つの構成に限定されない。構成の数は、非限定的な例としてのみ与えられている。
【０１４２】
図１７に示すように、いくつかの実施形態では、第１の部分１８および第２の部分２０は、互いに対して長手方向Ｘに並進して移動し、第２の部分２０上に配設されたマーカ９４によって示される異なる構成をとるように構成されてもよい。構成の数は、非限定的な例としてのみ与えられている。
【０１４３】
第１の部分１８および第２の部分２０は、互いに対して周方向Ｃに回転して、および互いに対して長手方向Ｘに並進しての両方で移動するように構成され得ることが理解される。
【０１４４】
図１８Ａ〜図１８Ｂに示されるように、クリップ３２が、アクチュエータであってもよい。クリップ３２は、半径方向Ｒおよび／または周方向Ｃに作動されてもよい。
【０１４５】
図１９Ａ〜図１９Ｃに示されるように、クリップ３２は、タッチ感応面９６を含んでもよい。タッチ感応面９６は、例えば、容量性表面または抵抗性表面であってもよい。タッチ感応面９６は、長手方向Ｘに沿って、周方向Ｃに沿って、および／または半径方向Ｒに沿って作動されてもよい。例えば、タッチ感応面９６は、長手方向Ｘにおいて比例アクチュエータであってもよい。
【０１４６】
クリップ３２は、図２０Ａに示されるように、ＬＣＤスクリーンディスプレイ９８などのディスプレイを備えてもよい。ＬＣＤスクリーンは、アクチュエータが存在する構成に関連する情報、例えば、色または他の情報を表示し得る。代わりに、ディスプレイは、Ｅ−Ｉｎｋディスプレイであってもよい。
【０１４７】
クリップ３２は、図２０Ｂに示されているように、ＬＥＤ１００または複数のＬＥＤ１００などのディスプレイを備えてもよい。
【０１４８】
図２１Ａ〜図２１Ｆに示されるように、バレル１６の第１の部分１８が、アクチュエータを含んでもよい。
【０１４９】
バレル１６の第２の部分２０に関連して説明された任意のタイプのアクチュエータはまた、バレル１６の第１の部分１８にも実装され得、そのいくつかの非限定的な実施形態が図２１Ａ〜図２１Ｆに示されている。
【０１５０】
図２１Ａでは、アクチュエータは、周方向に回転するように構成されたリング１０２である。
【０１５１】
図２１Ｂでは、アクチュエータは、タッチ感応面を備えたリング１０４である。
【０１５２】
図２１Ｃでは、アクチュエータは、図７Ａ〜図７Ｂのスライドボタン３０と同様のスライドボタン１０６である。
【０１５３】
図２１Ｄおよび図２１Ｆでは、アクチュエータは、図１１のタッチ感応面７８と同様のタッチ感応面１０８である。
【０１５４】
図２１Ｅでは、アクチュエータは、図１４の押しボタン８４と同様の押しボタン１１０である。
【０１５５】
バレル１６の第１の部分１８は、２つ以上のアクチュエータ、および異なるタイプのアクチュエータを含み得る。
【０１５６】
バレル１６の第１の部分１８は、ＬＣＤスクリーンディスプレイ１１２またはＥ−Ｉｎｋディスプレイなどのディスプレイを備え得る（図２２を参照）。ＬＣＤスクリーンディスプレイ１１２は、スタイラス１０の平坦部分上に配設され得る。
【０１５７】
図２３Ａに示すように、端部先端３８は取り外し可能である。
【０１５８】
端部先端３８は、スタイラス１０から取り外されてもよく、別の端部先端３８と交換されてもよい。図２３Ｂ〜図２３Ｄに示されるように、他の端部先端３８は、異なる端部先端形状および／またはサイズを有し得る。他の端部先端３８は、異なる材料で作られてもよく、および／または、異なる密度を有してもよく、それによりユーザの感覚は、前の端部先端３８との感覚とは異なる。
【０１５９】
スタイラスは、圧力センサ先端ユニット１１４を備えてもよい（図４を参照）。圧力センサ先端ユニット１１４は、ユーザによってスタイラス１０の端部先端３８に加えられた圧力を記録することを可能にする。この情報は、タッチスクリーン１４を備えるユニット１２に送信され得、それにより、タッチスクリーン１４上に描かれる線１１６の太さは、端部先端３８にかかる圧力に比例する、すなわち、圧力が大きいほど、描かれる線の太さが大きくなる（図１を参照）。
【０１６０】
タッチスクリーン１４とスタイラス１０との間の可能な相互作用について説明する。
【０１６１】
スタイラス１０は、特定のアプリケーションをデバイス１２にインストールすることによって、またはデバイス１２のネイティブオペレーティングシステムと互換性があることによって、デバイス１２のタッチスクリーン１４と協働し得る。
【０１６２】
例えば、第２の部分２０の第２の端部２８が導電性パッド８６を備える場合。導電性パッド８６は、タッチスクリーン１４によって消しゴムとして認識され得る（図２４を参照）。
【０１６３】
アクチュエータは、色またはツール（蛍光ペン、鉛筆、シャープペンシル、ブラシ）、あるいは、描画の太さの変化、不透明度の変化、彩度の変化、パターンの変化、アプリケーションオプションの設定、ツールオプションの設定、アプリケーションのショートカット（コピー／ペースト、保存、ズーム、等）などの機能、を選択するために使用され得る。このリストは限定的なものではない。
【０１６４】
ＩＭＵは、タッチスクリーン１４上の端部先端３８の変位速度の関数として変化し得る描かれる線の太さなどの高度な機能を可能にし得る。
【０１６５】
バレルの第２の部分２０の第２の端部２８に配設された押しボタン８４は、消しゴムとして使用され得る、すなわち、作動されると、スタイラス１０は、タッチスクリーン１４上に線を引かず、タッチスクリーン１４上の線および描画を消去する。押しボタン８４上に配設されたＬＥＤは、「消去」機能が「オン」であるか「オフ」であるかをユーザに知らせ得る。
【０１６６】
押しボタン８４は、時間比例セレクタであってもよい。短い作動、すなわち１秒未満の場合、押しボタン８４は「オン」／「オフ」ステータスの間で切り替わり、一方、長い作動、すなわち２秒を超えると、押しボタンは別のアクションをトリガし得る。他のアクションは、「元に戻す」アクションまたは「保存」アクションであってもよい。「保存」アクションは、タッチスクリーン１４に表示されている現在の図面および／またはテキストを保存するアクションであり得る。「保存」アクションはまた、すべてのアクチュエータの現在のステータスを保存するアクション、またはユーザによって選択されたアクチュエータの個別化であってもよい。「保存」アクションは、一度に１つのアクチュエータ、一般に、ステータスが最後に変更されたアクチュエータ、またはアクチュエータのグループに関連し得る。「保存」アクションは、電子プリント基板４０の一部であるメモリユニット１３２に情報を保存し得る。
【０１６７】
時間比例セレクタは、任意のタイプのアクチュエータで実装することができる。
【０１６８】
図２５Ａは、安定ではなく、各々が２つの構成を有する２つのスライドボタン３０Ａ、３０Ｂの例を示し、すなわち、スライドボタン３０Ａ、３０Ｂは、図７Ａに示される第１の構成および図７Ｂに示される第２の構成を有する。スライドボタン３０Ａ、３０Ｂが第１の構成で安定で、第２の構成では安定でない、すなわち、スライドボタン３０Ａ、３０Ｂがデフォルトの構成、この場合第１の構成、を有するとき、ユーザの相互作用なしで、スライドボタン３０Ａ、３０Ｂは、第２の構成で作動された後に元に戻る。
【０１６９】
スライドボタン３０Ａは、例えば、タッチスクリーン１４の一部１１８内のツールを選択するために、デフォルト構成において３つのステータスを有し得、スライドボタン３０Ａは、スライドボタン３０Ａの連続的な作動の際に、１つのステータスから別のステータスに移行し得る。
【０１７０】
スライドボタン３０Ｂは、例えば、タッチスクリーン１４の一部１２０において、描かれるべき線のテクスチャを選択するために、デフォルト構成において高さステータスを有し得、スライドボタン３０Ｂは、スライドボタン３０Ａの連続的な作動の際に、１つのステータスから別のステータスに移行し得る。
【０１７１】
図２５Ａはまた、安定している２つのスライドボタン３０Ａ、３０Ｂの例を示し得、スライドボタン３０Ａは３つの構成を有し、スライドボタン３０Ｂは高さ構成を有する。
【０１７２】
各ボタン３０Ａ、３０Ｂは、互いに独立して作動され得ることが理解される。
【０１７３】
図２５Ｂは、タッチ感応面９６を有するクリップ３２を示す。クリップのタッチ感応面９６は、タッチスクリーン１４の一部１２２において、描かれる線の太さを選択するために使用されてもよい。
【０１７４】
図２６は、作動時に、タッチスクリーンの一部１２４において一端部先端から別の先端に切り替えることを可能にする押しボタン１１０を有する第１の部分１８を示す。
【０１７５】
スタイラス１０はまた、例えばリンゴ１２８などのオブジェクトの色をサンプリングすることを可能にするカラースキャナ１２６を備えてもよく、次に、スタイラス１０が、走査された色をデバイス１２に伝達することができ、タッチスクリーン１４の一部１３０にそれを表示し、ユーザが走査された色でフォームを記入することを可能にし得る。
【０１７６】
スタイラス１０はまた、電子プリント基板４０およびエネルギーを要求する構成要素の電力供給のための電池１３４（図４を参照）を備え得る。
【０１７７】
電池１３４は、充電式電池であってもよい。スタイラスは、電池１３４を充電するための接続部１３６を備え得る。
【０１７８】
電池１３４は、誘導充電式電池、近距離無線通信充電式電池および／またはエネルギーハーベスティング電池であってもよい。
【０１７９】
スタイラス１０は、誘導コイル１３８を備え得る（図５を参照）。スタイラス１０は、誘導タッチスクリーンと協働し得る。誘導コイル１３８は、誘導タッチスクリーンを備える電子デバイスに含まれるコイルから電力供給を受け得る。電池を使用するときのように、誘導コイル１３８は、タッチスクリーンによって電力が供給されているとき、電子部品および／または検出器の電力供給源であり得る。
【０１８０】
スタイラスは、触覚フィードバックデバイス１４０を備え得る（図５を参照）。触覚フィードバックデバイス１４０は、電力供給を受けると振動を生成する圧電デバイスであり得る。
【０１８１】
例えば、触覚フィードバックデバイス１４０は、アクチュエータを用いて実現された選択またはアクションが検出されたことの確認をユーザに与え得る。触覚フィードバックデバイス１４０はまた、鉛筆で紙に書く感覚のような、ユーザとの特定の感覚を作成または再現するために使用され得る。
【０１８２】
図２７は、図４の端部先端３８に接続された電子プリント基板４０を表す。電子プリント基板４０は、可撓性であってもよい。
【０１８３】
電子プリント基板４０は、タッチスクリーン１４に対する端部先端３８の位置の検出を改善するための電子部品４２を備える。
【０１８４】
電子プリント基板４０は、検出器４４を備え得る。図２７には１つの検出器４４しか表されていないが、電子プリント基板４０は必要な数の検出器４４を備え得ることが理解される。
【０１８５】
電子プリント基板４０は、通信構成要素４６を備え得る。電子プリント基板４０は、傾斜検出器４８および／または動き検出器５０を備え得る。
【０１８６】
電子プリント基板４０は、スタイラス１０、メモリユニット１３２および／または触覚フィードバックデバイスと通信するためのカラースキャナ１２６およびカラースキャナ用の電子部品を備え得る。
【０１８７】
図２７に破線で表されている各構成要素は、端部先端３８に接続されている電子プリント基板４０上に存在する必要はないことが理解される。実際、図２７に破線で表されている各構成要素は、別個の電子プリント基板（複数可）上に配設されてもよい。別個の電子プリント基板（複数可）は、直接的または間接的に接続され得る。直接接続の非限定的な例は、ピン、リボンケーブル、ケーブル、金属製の導電性ストリップ、または成形回路部品（ＭＩＤ）である。通信プロトコルを介した間接接続の非限定的な例は、マルチプレクサ／デマルチプレクサを使用する。マルチプレクサ／デマルチプレクサは、接点の必要性を減らし、スペースの節約を可能にする。
【０１８８】
さらに、これらの構成要素のすべてがスタイラス１０に存在することを要求されるわけではないことを理解されたい。
【０１８９】
例えば、傾斜検出器４８、動き検出器５０、カラースキャナ１２６、メモリユニット１３２、および／または触覚フィードバックデバイス１４０は、スタイラスの所望の機能に応じて、スタイラス１０において省略されてもよい。
【０１９０】
特許請求の範囲を含めて、説明全体を通して、「備える（ｃｏｍｐｒｉｓｉｎｇ  ａ）」という用語は、特に明記されていない限り、「少なくとも１つを備える（ｃｏｍｐｒｉｓｉｎｇ  ａｔ  ｌｅａｓｔ  ｏｎｅ）」と同義であると理解されるべきである。加えて、特許請求の範囲を含めて、説明に記載されている任意の範囲は、特に明記されていない限り、その最終値（複数可）を含むものとして理解されるべきである。記載された要素の特定の値は、当業者に知られている容認された製造または業界の許容範囲内であると理解されるべきであり、「実質的に（ｓｕｂｓｔａｎｔｉａｌｌｙ）」および／または「およそ（ａｐｐｒｏｘｉｍａｔｅｌｙ）」あるいは／または「概して（ｇｅｎｅｒａｌｌｙ）」という用語の使用は、そのような容認された許容範囲内に収まることを意味すると理解されるべきである。
【０１９１】
本明細書における本開示は、特定の実施形態を参照して説明されたが、これらの実施形態は、本開示の原理および用途の単なる例示であることを理解されたい。
【０１９２】
本明細書および実施例は単なる例示と見なされ、本開示の真の範囲は、以下の特許請求の範囲によって示されることが意図されている。
【図１】
2021507357.tif 000003
【図２】
2021507357.tif 000004
【図３】
2021507357.tif 000005
【図４】
2021507357.tif 000006
【図５】
2021507357.tif 000007
【図６】
2021507357.tif 000008
【図７Ａ】
2021507357.tif 000009
【図７Ｂ】
2021507357.tif 000010
【図７Ｃ】
2021507357.tif 000011
【図７Ｄ】
2021507357.tif 000012
【図８】
2021507357.tif 000013
【図９】
2021507357.tif 000014
【図１０】
2021507357.tif 000015
【図１１】
2021507357.tif 000016
【図１２Ａ】
2021507357.tif 000017
【図１２Ｂ】
2021507357.tif 000018
【図１３】
2021507357.tif 000019
【図１４】
2021507357.tif 000020
【図１５】
2021507357.tif 000021
【図１６】
2021507357.tif 000022
【図１７】
2021507357.tif 000023
【図１８Ａ】
2021507357.tif 000024
【図１８Ｂ】
2021507357.tif 000025
【図１９Ａ】
2021507357.tif 000026
【図１９Ｂ】
2021507357.tif 000027
【図１９Ｃ】
2021507357.tif 000028
【図２０Ａ】
2021507357.tif 000029
【図２０Ｂ】
2021507357.tif 000030
【図２１Ａ】
2021507357.tif 000031
【図２１Ｂ】
2021507357.tif 000032
【図２１Ｃ】
2021507357.tif 000033
【図２１Ｄ】
2021507357.tif 000034
【図２１Ｅ】
2021507357.tif 000035
【図２１Ｆ】
2021507357.tif 000036
【図２２】
2021507357.tif 000037
【図２３Ａ】
2021507357.tif 000038
【図２３Ｂ】
2021507357.tif 000039
【図２３Ｃ】
2021507357.tif 000040
【図２３Ｄ】
2021507357.tif 000041
【図２４】
2021507357.tif 000042
【図２５Ａ】
2021507357.tif 000043
【図２５Ｂ】
2021507357.tif 000044
【図２５Ｃ】
2021507357.tif 000045
【図２６】
2021507357.tif 000046
【図２７】
2021507357.tif 000047
【国際調査報告】
2021507357.tif 000048
2021507357.tif 000049
2021507357.tif 000050
2021507357.tif 000051
2021507357.tif 000052